(57)【特許請求の範囲】
【請求項１】
通信デバイスが動作している動作モードとは異なる動作モードに該通信デバイスを切り替えなければならないか否かを判定するための方法であって、
前記通信デバイスは、無線信号を無線通信ネットワークの端末へ転送し、第１の動作モードでは、前記端末と該端末をハンドリングするアクセスノードとの間で転送される信号を中継し、第２の動作モードでは、前記端末をハンドリングし、前記端末が前記通信デバイスを通してリモートデバイスとの通信を確立することを可能にするのに必要な情報を前記通信デバイスが有するとき、前記通信デバイスは前記端末をハンドリングすることを特徴とし、
該方法は、
−  取得された情報から所定のイベントが発生したか否かを判断するステップと、
該所定のイベントが発生した場合に、
−  前記端末のハンドオーバを前記アクセスノードと前記通信デバイスとの間で行わなければならないと判定するステップと、
−  前記通信デバイスが動作している動作モードとは異なる動作モードに該通信デバイスが切り替わらなければならないと判定するステップと
を含むことを特徴とする、通信デバイスが動作している動作モードとは異なる動作モードに該通信デバイスを切り替えなければならないか否かを判定するための方法。
【請求項２】
前記通信デバイスが動作している動作モードは、該通信デバイスが前記端末と前記アクセスノードとの間で転送される信号を中継する前記第１の動作モードであることを特徴とする、請求項１に記載の方法。
【請求項３】
前記通信デバイスが動作している動作モードは、該通信デバイスが前記端末をハンドリングする前記第２の動作モードであることを特徴とする、請求項１に記載の方法。
【請求項４】
−  他の情報を取得するステップと、
−  別の通信デバイスが前記端末と前記アクセスノードとの間で転送される信号を中継する前記第１の動作モードに替わらなければならないか否かを、前記他の情報に従って判定するステップと
をさらに含むことを特徴とする、請求項３に記載の方法。
【請求項５】
前記通信デバイスが前記端末への信号の転送を停止する第３の動作モードに切り替わらなければならないと判定するステップをさらに含むことを特徴とする、請求項４に記載の方法。
【請求項６】
以前の動作モード切り替えに従って、前記通信デバイスが前記端末と前記アクセスノードとの間で転送される信号を中継する前記第１の動作モードに切り替わらなければならないと判定するステップをさらに含むことを特徴とする、請求項４に記載の方法。
【請求項７】
以前の動作モード切り替えに従って行われる前記判定は、前記管理エンティティ又は前記通信デバイスによって実行されることを特徴とする、請求項６に記載の方法。
【請求項８】
前記所定のイベントが発生したか否かを判断するのに使用される前記取得された情報は、前記通信デバイスによって測定された干渉レベル、及び／又は、前記端末によって転送された信号に関する測定値、及び／又は、前記通信デバイスのロケーション、及び／又は、前記端末のロケーション、及び／又は、１つの動作モード若しくは各動作モードにおいて前記通信デバイスが利用可能なリソース、及び／又は、前記端末によって受信された信号に関する測定値、及び／又は、前記端末と前記通信デバイスとをリンクする情報、及び／又は、継続時間であることを特徴とする、請求項１〜３のいずれか一項に記載の方法。
【請求項９】
前記方法は管理エンティティによって実行され、該管理エンティティは、前記アクセスノードに含まれるか、又は、前記通信デバイス若しくは各通信デバイスに含まれるか、又は、前記アクセスノードにも前記通信デバイス若しくは各通信デバイスにも含まれないことを特徴とする、請求項１〜８のいずれか一項に記載の方法。
【請求項１０】
前記無線通信ネットワークは、無線セルラー通信ネットワークであることを特徴とする、請求項１〜９のいずれか一項に記載の方法。
【請求項１１】
前記移動端末をハンドリングする前記アクセスノードから前記通信デバイスへの該端末のハンドオーバを行わなければならないとの前記判定に先だって実行されるステップであって、前記通信デバイスが前記端末をハンドリングすることができるか否かを示す情報を該通信デバイスから取得するステップをさらに含むことを特徴とする、請求項３〜１０のいずれか一項に記載の方法。
【請求項１２】
通信デバイスが動作している動作モードとは異なる動作モードに該通信デバイスを切り替えなければならないか否かを判定する管理エンティティであって、
前記通信デバイスは、無線信号を無線通信ネットワークの端末へ転送し、前記端末と該端末をハンドリングするアクセスノードとの間で転送される信号を中継する手段と、前記移動端末をハンドリングする手段とを備え、第１の動作モードでは、前記端末と該端末をハンドリングするアクセスノードとの間で転送される信号を中継し、第２の動作モードでは、前記端末をハンドリングし、前記端末が前記通信デバイスを通してリモートデバイスとの通信を確立することを可能にするのに必要な情報を前記通信デバイスが有するとき、前記通信デバイスは前記端末をハンドリングすることを特徴とし、
該管理エンティティは、
−  取得された情報から所定のイベントが発生したか否かを判断する手段と、
−  前記端末のハンドオーバを前記アクセスノードと前記通信デバイスとの間で行わなければならないと判定する手段と、
前記通信デバイスが動作している動作モードとは異なる動作モードに該通信デバイスが切り替わらなければならないと判定する手段と
を備えることを特徴とする、管理エンティティ。
【請求項１３】
通信デバイスが動作している動作モードとは異なる動作モードに該通信デバイスを切り替えるための方法であって、
前記通信デバイスは、無線信号を無線通信ネットワークの端末へ転送し、第１の動作モードでは、前記端末と該端末をハンドリングするアクセスノードとの間で転送される信号を中継し、第２の動作モードでは、前記端末をハンドリングし、前記端末が前記通信デバイスを通してリモートデバイスとの通信を確立することを可能にするのに必要な情報を前記通信デバイスが有するとき、前記通信デバイスは前記端末をハンドリングすることを特徴とし、
該方法は、前記通信デバイスによって実行されるステップであって、
−  測定値を表す情報を管理エンティティへ転送するステップと、
−  前記アクセスノードと前記通信デバイスとの間で前記端末のハンドオーバを実行する要求を表すメッセージを受信するステップと、
−  前記ハンドオーバを実行するステップと、
−  自身が動作している動作モードとは異なる動作モードに切り替わるステップと
を含むことを特徴とする、通信デバイスが動作している動作モードとは異なる動作モードに該通信デバイスを切り替えるための方法。
【請求項１４】
無線通信ネットワークの端末へ無線信号を転送する通信デバイスであって、
該通信デバイスは２つの動作モードで動作することができ、前記端末と該端末をハンドリングするアクセスノードとの間で転送される信号を中継する手段と、前記移動端末をハンドリングする手段とを備え、第１の動作モードでは、前記端末と該端末をハンドリングするアクセスノードとの間で転送される信号を中継し、第２の動作モードでは、前記端末をハンドリングし、前記端末が前記通信デバイスを通してリモートデバイスとの通信を確立することを可能にするのに必要な情報を前記通信デバイスが有するとき、前記通信デバイスは前記端末をハンドリングすることを特徴とし、
該通信デバイスは、
−  測定値を表す情報を管理エンティティへ転送する手段と、
−  前記アクセスノードと該通信デバイスとの間で前記端末のハンドオーバを実行する要求を表すメッセージを受信する手段と、
−  前記ハンドオーバを実行する手段と、
−  自身が動作している動作モードとは異なる動作モードに切り替わる手段と
を備えることを特徴とする、通信デバイス。
【請求項１５】
プログラマブルデバイス内に直接ロード可能とすることができるコンピュータプログラムであって、該コンピュータプログラムがプログラマブルデバイスで実行されると、請求項１〜１１のいずれか一項に記載の方法のステップを実施するための命令又はコード部を含む、コンピュータプログラム。
【発明の詳細な説明】
【技術分野】
【０００１】
本発明は、包括的には、通信デバイスの動作モードを異なる動作モードに切り替えなければならないか否かを判定するための方法及びデバイスに関する。
【背景技術】
【０００２】
今日、無線ネットワークの配備が急増しているのを目にすることができる。
【０００３】
例えば、ＷＩＦＩ無線ネットワークのようなローカルエリアネットワークが今日広く使用されている。
【０００４】
都市部では、これらのローカルエリアネットワークのアクセスノードのカバレッジエリアは互いに重なり合っている。
【０００５】
その重なり合いによって、無線ネットワークのそれぞれで干渉が生成され、これらの無線ネットワークの性能が低減される。
【０００６】
無線セルラー通信ネットワークは、大きく発展している。数年前、無線セルラー通信ネットワークのアクセスノードは、数十キロメートルの半径を有するセルを管理していた。
【０００７】
今日、無線セルラー通信ネットワークは、マクロセルと呼ばれる上記のようなセル、数百メートルの半径を有するマイクロセル、及び数十メートルの半径を有するフェムトセルから構成される。
【０００８】
これら種々のタイプのセルは互いに重なり合っている。
【０００９】
都市環境では、莫大な数のフェムトセルがマクロセルの内部に含まれている。このような状況は、マクロセルの負荷を取り除いてそのデッドゾーンを低減するという利点を有するが、フェムトセルとマクロセルとの間の干渉を生成するのと同様に、重なり合うフェムトセル間の干渉を生成するおそれがある。
【００１０】
従来の無線セルラー通信ネットワークでは、端末が異なるセルを通って移動するとき、端末が通過するセルを管理するアクセスノード間でハンドオーバが実行される。
【００１１】
フェムトセルのカバレッジエリアは小さいので、移動端末のために莫大な数のハンドオーバを実行することが必要な場合があり、これはインフラストラクチャの観点から多大なオーバーヘッドを引き起こすおそれがある。
【００１２】
フェムトセルを管理するアクセスノードが端末をハンドリングすることが可能である場合、移動する端末は小さなタイムスケールの間にアクセスノードにハンドオーバする可能性があり、シグナリング負荷が激増する可能性がある。
【００１３】
さらに、限られたエリアにおいて多くのアクティブなアクセスノードが信号を送信することによって生み出された干渉レベルも、リンクレベル性能を悪化させると共にカバレッジを低減させるおそれがある。
【発明の概要】
【発明が解決しようとする課題】
【００１４】
本発明は、アクセスノードのカバレッジエリアが互いに重なり合うときに無線通信ネットワークの動作を改善すること、又は重要なシグナリングが無線通信ネットワーク内で発生するのを回避することを目的とする。
【課題を解決するための手段】
【００１５】
その目的のために、本発明は、通信デバイスが動作している動作モードとは異なる動作モードにその通信デバイスを切り替えなければならないか否かを判定するための方法に関する。
通信デバイスは、無線信号を無線通信ネットワークの端末へ転送し、或る動作モードでは、端末とその端末をハンドリングするアクセスノードとの間で転送される信号を中継し、別の動作モードでは、端末をハンドリングすることを特徴とし、
当該方法は、
−  取得された情報から所定のイベントが発生したか否かを判断するステップと、
所定のイベントが発生した場合に、
−  端末のハンドオーバをアクセスノードと通信デバイスとの間で行わなければならないと判定するステップと、
−  通信デバイスが動作している動作モードとは異なる動作モードにその通信デバイスが切り替わらなければならないと判定するステップと
を含むことを特徴とする。
【００１６】
また、本発明は、通信デバイスが動作している動作モードとは異なる動作モードにその通信デバイスを切り替えなければならないか否かを判定する管理エンティティにも関する。  通信デバイスは、無線信号を無線通信ネットワークの端末へ転送し、或る動作モードでは、端末とその端末をハンドリングするアクセスノードとの間で転送される信号を中継し、別の動作モードでは、端末をハンドリングすることを特徴とし、
当該管理エンティティは、
−  取得された情報から所定のイベントが発生したか否かを判断する手段と、
−  端末のハンドオーバをアクセスノードと通信デバイスとの間で行わなければならないと判定する手段と、
−  通信デバイスが動作している動作モードとは異なる動作モードにその通信デバイスが切り替わらなければならないと判定する手段と
を備えることを特徴とする。
【００１７】
したがって、通信デバイスが中継動作モードと端末ハンドリング動作モードとの間で切り替わることを可能にすることによって、隣接したカバレッジエリア間の干渉を低減することが可能である。
【００１８】
通信デバイスが中継動作モードにあるとき、その通信デバイスはアクセスノードによって転送される信号を中継することにより、デッドゾーンの問題を解決することができる。
【００１９】
さらに、通信デバイスが端末の中継動作モードにあるとき、その通信デバイスは端末をハンドリングせず、その結果、ネットワーク側で起こり得るハンドオーバと余分なシグナリングが回避される。
【００２０】
ハンドリングモードで動作している複数の通信デバイスの中で或る通信デバイスを中継動作モードに切り替えることによって、干渉が低減される。切り替えられる通信デバイスは切り替え前にハンドオーバを実行するので、モードが切り替えられた通信デバイスによってこれまでハンドリングされていた端末は、依然として別の通信デバイスによってハンドリングされ、これによって、サービス継続性が保証される。
【００２１】
切り替えられた通信デバイスはもはやアクセスノードとみなされないので、切り替えられた通信デバイスのカバレッジエリアと端末をハンドリングする通信デバイスのカバレッジエリアとは、端末をハンドリングする通信デバイスの単一のカバレッジエリアを形成する。
【００２２】
単一のカバレッジエリアのサイズは増加し、干渉は低減される。
【００２３】
特定の特徴によれば、通信デバイスが動作している動作モードは、その通信デバイスが端末とアクセスノードとの間で転送される信号を中継する動作モードである。
【００２４】
したがって、中継動作モードから、通信デバイスが端末をハンドリングする動作モードに切り替わることによって、アクセスノードの負荷が低減される。
【００２５】
特定の特徴によれば、通信デバイスが動作している動作モードは、その通信デバイスが端末をハンドリングする動作モードである。
【００２６】
したがって、端末をハンドリングする動作モードにある通信デバイスの個数を制御することができる。
【００２７】
特定の特徴によれば、管理エンティティは、
−  他の情報を取得し、
−  別の通信デバイスが端末とアクセスノードとの間で転送される信号を中継する動作モードに切り替わらなければならないか否かを、上記他の情報に従って判定する。
【００２８】
したがって、端末とアクセスノードとの間で転送される信号を中継する動作モードにある通信デバイスは、環境情報に従って選択される。
【００２９】
特定の特徴によれば、管理エンティティは、通信デバイスが端末への信号の転送を停止する別の動作モードに切り替わらなければならないと判定する。
【００３０】
したがって、転送される無線信号の量は低減され、干渉が制限される。
【００３１】
特定の特徴によれば、所定のイベントが発生したか否かを判断するのに使用される上記取得された情報は、通信デバイスによって測定された干渉レベル、及び／又は、端末によって転送された信号に関する測定値、及び／又は、通信デバイスのロケーション、及び／又は、端末のロケーション、及び／又は、１つの動作モード若しくは各動作モードにおいて通信デバイスが利用可能なリソース、及び／又は、端末によって受信された信号に関する測定値、及び／又は、端末と通信デバイスとをリンクする情報、及び／又は、継続時間である。
【００３２】
情報が干渉レベルであるとき、本発明は、通信デバイスが互いに干渉する場合又はアクセスノードによって転送される信号が干渉を受けるときを検出することができる。その結果、管理エンティティは、そのパラメータに従って通信デバイスの動作モードを決定することができる。
【００３３】
情報が端末によって転送されて通信デバイスによって受信された信号に関する測定値であるとき、管理エンティティは、通信デバイスと端末との間の通信リンク状態を評価することができ、通信デバイスと端末との間の距離を評価する。その結果、管理エンティティは、これらのパラメータに従って通信デバイスの動作モードを決定することができる。
【００３４】
情報が通信デバイスのロケーションであるとき、管理エンティティは、通信デバイスの切り替えが無線通信ネットワークの特性を改善することができるか否かを判断することができる。
【００３５】
情報が端末のロケーションであるとき、管理エンティティは、通信デバイスの切り替えが端末との通信リンクを改善することができるか否かを判断することができる。
【００３６】
情報が１つの動作モード又は各動作モードにおいて通信デバイスが利用可能なリソースであるとき、管理エンティティは、１つの動作モード又は各動作モードに割り当てられたリソースを効率的に管理することができ、通信デバイスの切り替えが可能であるか否かを判断することができる。
【００３７】
例えば、通信デバイスの保有者が、端末を中継及び／又はハンドリングするのに使用することができるリソースの量を規定した場合、その量は管理エンティティによって考慮される。
【００３８】
情報が端末によって受信された信号に関する測定値であるとき、管理エンティティは、通信デバイスと端末との間の通信リンク状態を評価することができる。その結果、管理エンティティは、そのパラメータに従って通信デバイスの動作モードを決定することができる。
【００３９】
情報が端末と通信デバイスとをリンクする情報、例えば端末が通信デバイスによるハンドリングを受ける権利であるとき、管理エンティティは、通信デバイスがどの端末をハンドリングすることができるのかを制御することができる。
【００４０】
情報が継続時間、例えば通信デバイスが信号を中継する継続時間であるとき、管理エンティティは、端末が移動していないと判断することができ、別のハンドオーバが必要とされ得る確率が低い限り、通信デバイスが端末をハンドリングする動作モードに通信デバイスを切り替えることが有益であると判断することができる。
【００４１】
特定の特徴によれば、管理エンティティは、アクセスノードに含まれるか、又は、通信デバイス若しくは各通信デバイスに含まれるか、又は、アクセスノードにも通信デバイス若しくは各通信デバイスにも含まれない。
【００４２】
特定の特徴によれば、無線通信ネットワークは無線セルラー通信ネットワークである。
【００４３】
特定の特徴によれば、移動端末をハンドリングするアクセスノードから通信デバイスへその端末のハンドオーバを行わなければならないとの判定に先だって、管理エンティティは通信デバイスが端末をハンドリングすることができるか否かを示す情報を通信デバイスから取得する。
【００４４】
したがって、良好な状態であるときに、ハンドオーバは実行される。
【００４５】
特定の特徴によれば、本方法は、以前の動作モード切り替えに従って、通信デバイスが端末とアクセスノードとの間で転送される信号を中継する動作モードに切り替わらなければならないと判定するステップをさらに含む。
【００４６】
したがって、通信デバイスがデッドゾーンに配置されているときであっても、ハンドオーバが一旦実行されると、通信デバイスはそのデッドゾーンの低減に貢献する。
【００４７】
特定の特徴によれば、以前の動作モード切り替えに従って行われる上記判定は、管理エンティティ又は通信デバイスによって実行される。
【００４８】
さらに別の態様によれば、本発明は、通信デバイスが動作している動作モードとは異なる動作モードにその通信デバイスを切り替えるための方法に関する。
通信デバイスは、無線信号を無線通信ネットワークの端末へ転送し、或る動作モードでは、端末とその端末をハンドリングするアクセスノードとの間で転送される信号を中継し、別の動作モードでは、端末をハンドリングすることを特徴とし、
当該方法は、通信デバイスによって実行されるステップであって、
−  測定値を表す情報を管理エンティティへ転送するステップと、
−  アクセスノードと通信デバイスとの間で端末のハンドオーバを実行する要求を表すメッセージを受信するステップと、
−  ハンドオーバを実行するステップと、
−  自身が動作している動作モードとは異なる動作モードに切り替わるステップと
を含むことを特徴とする。
【００４９】
また、本発明は、無線信号を無線通信ネットワークの端末へ転送する通信デバイスにも関する。通信デバイスは、２つの動作モードで動作することができ、或る動作モードでは、端末とその端末をハンドリングするアクセスノードとの間で転送される信号を中継し、別の動作モードでは、端末をハンドリングすることを特徴とし、
当該通信デバイスは、
−  測定値を表す情報を管理エンティティへ転送する手段と、
−  アクセスノードと通信デバイスとの間で端末のハンドオーバを実行する要求を表すメッセージを受信する手段と、
−  ハンドオーバを実行する手段と、
−  自身が動作している動作モードとは異なる動作モードに切り替わる手段と
を備えることを特徴とする。
【００５０】
したがって、通信デバイスが中継機能とアクセスモード機能との間で切り替わることを可能にすることによって、隣接したカバレッジエリア間の干渉を低減することが可能である。
【００５１】
通信デバイスが中継動作モードにあるとき、その通信デバイスはアクセスノードによって転送される信号を中継することにより、デッドゾーンの問題を解決することができる。
【００５２】
さらに、通信デバイスが端末の中継動作モードにあるとき、その通信デバイスは端末をハンドリングせず、その結果、ネットワーク側で起こり得るハンドオーバと余分なシグナリングが回避される。
【００５３】
ハンドリングモードで動作している複数の通信デバイスの中で或る通信デバイスを切り替えることによって、干渉が低減される。切り替えられる通信デバイスは切り替え前にハンドオーバを実行するので、切り替えられた通信デバイスによってこれまでハンドリングされていた端末は、依然として別の通信デバイスによってハンドリングされる。
【００５４】
切り替えられた通信デバイスはもはや端末をハンドリングすることができる通信デバイスとみなすことができないので、切り替えられた通信デバイスのカバレッジエリアと端末をハンドリングする通信デバイスのカバレッジエリアとは、端末をハンドリングする通信デバイスの単一のカバレッジエリアを形成する。
【００５５】
単一のカバレッジエリアのサイズは増加し、干渉は低減される。
【００５６】
さらに別の態様によれば、本発明は、プログラマブルデバイス内に直接ロード可能とすることができるコンピュータプログラムであって、そのコンピュータプログラムがプログラマブルデバイスで実行されると、本発明による方法のステップを実施するための命令又はコード部を含む、コンピュータプログラムに関する。
【００５７】
コンピュータプログラムに関する特徴及び利点は、本発明による方法及びデバイスに関連して上述したものと同じであるので、ここでは繰り返さないことにする。
【００５８】
本発明の特徴は、一例の実施形態の以下の説明を読むことによってより明らかになる。当該説明は、添付図面に関して作成されたものである。
【図面の簡単な説明】
【００５９】
【図１ａ】本発明が実施される無線セルラー通信ネットワークのアーキテクチャを表す。
【図１ｂ】本発明が実施される少なくとも１つの無線ローカルエリア通信ネットワークのアーキテクチャを表す図である。
【図２】本発明が実施される通信デバイスのアーキテクチャを表す図である。
【図３】本発明が実施される管理エンティティのアーキテクチャを表す図である。
【図４】本発明による管理エンティティによって実行されるアルゴリズムの一例である。
【図５】本発明による通信デバイスによって実行されるアルゴリズムの一例である。
【発明を実施するための形態】
【００６０】
図１ａは、本発明が実施される無線セルラー通信ネットワークのアーキテクチャを表す。
【００６１】
無線セルラー通信ネットワークにおいて、２つのアクセスノードＡＮ１及びＡＮ２が、それぞれのセルＣ１及びＣ２において信号を転送する。
【００６２】
アクセスノードＡＮは、基地局、又はノードＢ、又はエンハンストノードＢとも呼ばれる。
【００６３】
端末ＴＥがアクセスノードＡＮ１又はＡＮ２を通してリモートデバイスとの通信を確立することを可能にするのに必要な情報をアクセスノードＡＮ１又はＡＮ２が有するとき、アクセスノードＡＮ１又はＡＮ２は端末ＴＥをハンドリングする。
【００６４】
各アクセスノードＡＮ１又はＡＮ２は、ダウンリンクチャネルを通して端末ＴＥへ信号を転送し、端末ＴＥによって転送された信号をアップリンクチャネルを通して受信する。
【００６５】
図１ａには、１つの通信デバイスＴＤ１が示されており、この通信デバイスＴＤ１はエリアＡＲ１において信号を転送する。通信デバイスＴＤ１は、例えばフェムト基地局といったアクセスノードのような第１の動作モード及び中継器としての第２の動作モードで機能する。
【００６６】
各アクセスノードＡＮ及び通信デバイスＴＤは、無線セルラー通信ネットワークを形成するために、図１には示されない通信ネットワークを通して接続されている。この通信ネットワークは、専用有線ネットワーク、又は公衆交換ネットワークのような公衆ネットワーク、又はＩＰベースネットワーク、又は無線ネットワーク、又は非同期転送モードネットワーク、又はそれらのネットワークを組み合わせたものである。
【００６７】
通信デバイスＴＤの第１の動作モードは、端末ＴＥをハンドリングすることから成る。すなわち、端末ＴＥが通信デバイスＴＤ１を通してリモートデバイスとの通信を確立することを可能にするのに必要な情報を通信デバイスＴＤ１が有するとき、通信デバイスＴＤ１は端末ＴＥをハンドリングする。
【００６８】
第２の動作モードは、端末ＴＥとそれをハンドリングするアクセスノードＡＮとの間で転送される信号を中継することから成る。
【００６９】
通信デバイスＴＤ１が中継器として機能するとき、通信デバイスＴＤ１は、端末ＴＥをハンドリングするアクセスノードＡＮ１又はＡＮ２によって転送された信号をダウンリンクチャネルで受信し、これらの信号をダウンリンクチャネルを通して端末ＴＥへ転送する。通信デバイスＴＤ１は、端末ＴＥによって転送された信号をアップリンクチャネルを通して受信し、これらの信号を端末ＴＥをハンドリングするアクセスノードＡＮ１又はＡＮ２へアップリンクチャネルで転送する。
【００７０】
ここで、一変形では、通信デバイスＴＤ１は、ダウンリンクチャネルで信号を受信してアップリンクチャネルで信号を転送する代わりに、端末ＴＥをハンドリングするアクセスノードＡＮ１又はＡＮ２と通信デバイスＴＤ１との間で非無線通信リンクを通してこれらの信号を受信して転送することに留意されたい。
【００７１】
例えば、非無線通信リンクは、専用有線ネットワーク、又は公衆交換ネットワークのような公衆ネットワーク、又はＩＰベースネットワーク、又は無線ネットワーク、又は非同期転送モードネットワーク、又はそれらのネットワークを組み合わせたもののような通信ネットワークにおいて確立される。
【００７２】
ここで、通信デバイスＴＤ１は、少なくとも１つの端末ＴＥについてはハンドリング動作モードにあることができ、少なくとも１つの他の端末ＴＥについては中継動作モードにあることができることに留意されたい。
【００７３】
図１ａには、管理エンティティＭＥが示されている。管理エンティティＭＥは、少なくとも１つのアクセスノードＡＮに含まれる。
【００７４】
変形では、管理エンティティＭＥは、通信デバイスＴＤ１に含まれ、アクセスノードＡＮ及び通信デバイスＴＤ１には含まれない。
【００７５】
図１ａには、明瞭にするために、２つのアクセスノードＡＮ１及びＡＮ２並びに１つの通信デバイスＴＤ１のみが示されている。しかしながら、実際には、無線セルラー通信ネットワークは、多くのアクセスノードＡＮ及び通信デバイスＴＤを備えている。
【００７６】
ここで、通信デバイスＴＤが、自身のセルに位置する各端末ＴＥについてハンドリングモードで機能し、どの端末ＴＥについても中継器として機能しないとき、通信デバイスＴＤは、無線セルラー通信ネットワークのエレメントからは従来のアクセスノードとして見られることに留意されたい。
【００７７】
例えば、アクセスノードＡＮ２は、自身のセルに位置する各端末ＴＥについてハンドリングモードで機能し、どの端末ＴＥについても中継器として機能しない通信デバイスＴＤである。
【００７８】
図１ｂは、本発明が実施される少なくとも１つの無線ローカルエリア通信ネットワークのアーキテクチャを表す図である。
【００７９】
この少なくとも１つの無線ローカルエリア通信ネットワークでは、アクセスノードＡＮ３がエリアＡＲ３において信号を転送する。
【００８０】
アクセスノードＡＮ３は、例えば、ローカルエリアネットワークのアクセスノードである。端末ＴＥがローカルエリアネットワークを使用して、例えばアクセスノードＡＮ３を通してリモートデバイスとの通信を確立することを可能にするのに必要な情報をアクセスノードＡＮ３が有するときに、アクセスノードＡＮ３は端末ＴＥをハンドリングする。
【００８１】
アクセスノードＡＮ３は、ダウンリンクチャネルを通して端末ＴＥへ信号を転送し、端末ＴＥによって転送された信号をアップリンクチャネルを通して受信する。
【００８２】
図１ｂには、１つの通信デバイスＴＤ２が示されており、この通信デバイスＴＤ２はエリアＡＲｄにおいて信号を転送する。通信デバイスＴＤ２は、ローカルエリアネットワークのアクセスノードのような第１の動作モード及び中継器としての第２の動作モードで機能する。
【００８３】
第１の動作モードは、端末ＴＥをハンドリングすることから成る。端末ＴＥが通信デバイスＴＤ２を通してリモートデバイスとの通信を確立するためにローカルエリアネットワークを使用することを可能にするのに必要な情報を通信デバイスＴＤ２が有するとき、通信デバイスＴＤ２は端末ＴＥをハンドリングする。
【００８４】
通信デバイスＴＤ２が端末ＴＥをハンドリングするとき、通信デバイスＴＤ２は、ダウンリンクチャネルを通して端末ＴＥへ信号を転送し、端末ＴＥによって転送された信号をアップリンクチャネルを通して受信する。
【００８５】
第２の動作モードは、端末ＴＥとそれをハンドリングするアクセスノードＡＮ、例えばアクセスノードＡＮ３によって転送される信号を中継することから成る。
【００８６】
通信デバイスＴＤ２が中継器として機能するとき、通信デバイスＴＤ２は、端末ＴＥをハンドリングするアクセスノードＡＮ３によって転送された信号をダウンリンクチャネルを通して受信し、これらの信号をダウンリンクチャネルを通して端末ＴＥへ転送する。通信デバイスＴＤ２は、端末ＴＥによって転送された信号をアップリンクチャネルを通して受信し、これらの信号を端末ＴＥをハンドリングするアクセスノードＡＮ３へアップリンクチャネルを通して転送する。
【００８７】
ここで、一変形では、アクセスノードＡＮ３も通信デバイスＴＤとすることができることに留意されたい。
【００８８】
また、ここで、一変形では、通信デバイスＴＤ２は、ダウンリンクチャネルを通して信号を受信してアップリンクチャネルを通して信号を転送する代わりに、端末ＴＥをハンドリングしているアクセスノードＡＮ３と通信デバイスＴＤ２との間で非無線通信リンクを通してこれらの信号を受信して転送することにも留意されたい。
【００８９】
例えば、非無線通信リンクは、専用有線ネットワーク、又は公衆交換ネットワークのような公衆ネットワーク、又はＩＰベースネットワーク、又は無線ネットワーク、又は非同期転送モードネットワーク、又はそれらのネットワークを組み合わせたもののような通信ネットワークにおいて確立される。
【００９０】
ここで、通信デバイスＴＤ２は、少なくとも１つの端末ＴＥについては端末ハンドリング動作モードにあることができ、少なくとも１つの他の端末ＴＥについては中継動作モードにあることができることに留意されたい。
【００９１】
図１ｂの例では、エリアＡＲ３とＡＲｄは互いに重なり合っている。
【００９２】
図１ｂには、管理エンティティＭＥが示されている。管理エンティティＭＥは、少なくとも１つのアクセスノードＡＮに含まれる。
【００９３】
変形では、管理エンティティＭＥは、少なくとも１つの通信デバイスＴＤに含まれ、アクセスノードＡＮにも通信デバイスＴＤにも含まれない。
【００９４】
図１ｂには、明瞭にするために、１つのアクセスノードＡＮ３及び１つの通信デバイスＴＤ２のみが示されている。しかしながら、実際には、より多くの無線ローカルエリアネットワーク、アクセスノードＡＮ、及び通信デバイスＴＤが存在する。
【００９５】
図２は、本発明が実施される通信デバイスのアーキテクチャを表す図である。
【００９６】
通信デバイスＴＥは、例えば、バス２０１によって互いに接続されたコンポーネントと、図５に開示するようなプログラムによって制御されるプロセッサ２００とに基づくアーキテクチャを有する。
【００９７】
バス２０１は、プロセッサ２００を、読み出し専用メモリＲＯＭ２０２、ランダムアクセスメモリＲＡＭ２０３、無線インターフェース２０５、及びネットワークインターフェース２０６にリンクする。
【００９８】
メモリ２０３は、変数と図５に開示するようなプログラムの命令とを収容するように意図されたレジスタを含む。
【００９９】
メモリ２０３は、通信デバイスＴＤによってハンドリングされる端末がリモートデバイスとの通信を確立又は受信することを可能にする情報も含む。これらの情報は、例えば、端末識別子、端末能力、通信リンク、サービス品質パラメータ、暗号化パラメータ、又はセキュリティパラメータである。
【０１００】
メモリ２０３は、端末ＴＤが中継モードで動作することを可能にする情報も含む。これらの情報は、例えば、信号を中継しなければならない端末識別子のリスト、中継器のリソースパラメータ、中継のタイプである。
【０１０１】
プロセッサ２００は、ネットワークインターフェース２０６の動作及び無線インターフェース２０５の動作を制御する。
【０１０２】
読み出し専用メモリ２０２は、図５に開示するようなプログラムの命令を含む。これらの命令は、通信デバイスＴＤに電源が投入されるとランダムアクセスメモリ２０３へ転送される。
【０１０３】
通信デバイスＴＤは、ネットワークインターフェース２０６を通して通信ネットワークに接続することができる。例えば、ネットワークインターフェース２０６は、ＤＳＬ（デジタル加入者線）モデム又はＩＳＤＮ（サービス統合デジタル網）インターフェース等である。通信デバイスＴＤは、このようなインターフェースを通して、管理エンティティＭＥ及び／又はアクセスノードＡＮへメッセージを転送することができ、或いは管理エンティティＭＥ及び／又はアクセスノードＡＮからメッセージを受信することもできる。加えて、通信デバイスＴＤは、インターフェース２０６を通してアクセスノードＡＮからダウンリンク信号を受信することができ、自身がアップリンクチャネルを通して受信したアップリンク信号を転送することもできる。
【０１０４】
無線インターフェース２０５は、通信デバイスＴＤが自身のエリアＡＲにおいて信号又はメッセージを転送及び／又は受信することを可能にする。
【０１０５】
無線インターフェース２０５は、少なくとも１つのアクセスノードＡＮによって転送された信号を受信するダウンリンク受信モジュール２１０と、少なくとも１つの端末ＴＥへ信号を転送するダウンリンク送信モジュール２１１と、少なくとも１つの端末ＴＥによって転送された信号を受信するアップリンク受信モジュール２１２と、少なくとも１つのアクセスノードＡＮへ信号を転送するアップリンク送信モジュール２１３とを備える。
【０１０６】
図３は、本発明の実施される管理エンティティのアーキテクチャを表す図である。
【０１０７】
管理エンティティＭＥは、例えば、バス３０１によって互いに接続されたコンポーネントと、図４に開示するようなプログラムによって制御されるプロセッサ３００とに基づくアーキテクチャを有する。
【０１０８】
バス３０１は、プロセッサ３００を、読み出し専用メモリＲＯＭ３０２、ランダムアクセスメモリＲＡＭ３０３、及びネットワークインターフェース３０６にリンクする。
【０１０９】
メモリ３０３は、変数と図４に開示するようなアルゴリズムに関連したプログラムの命令とを収容するように意図されたレジスタを含む。
【０１１０】
プロセッサ３００は、ネットワークインターフェース３０６の動作を制御する。
【０１１１】
読み出し専用メモリ３０２は、図４に開示するようなアルゴリズムに関連したプログラムの命令を含む。これらの命令は、管理エンティティＭＥに電源が投入されるとランダムアクセスメモリ３０３へ転送される。
【０１１２】
管理エンティティＭＥは、ネットワークインターフェース３０６を通して通信ネットワークに接続することができる。例えば、ネットワークインターフェース３０６は、ＤＳＬ（デジタル加入者線）モデム又はＩＳＤＮ（サービス統合デジタル網）インターフェース等である。管理エンティティＭＥは、このようなインターフェースを通して、通信デバイスＴＤへ及び／又はアクセスノードＡＮへメッセージを転送することができ、或いは通信デバイスＴＤ及び／又はアクセスノードＡＮからメッセージを受信することもできる。
【０１１３】
ここで、管理エンティティＭＥが通信デバイスＴＤ又はアクセスノードＡＮに含まれるとき、プロセッサ３００、メモリ３０２、ランダムアクセスメモリＲＡＭ３０３、及びネットワークインターフェース３０６は、通信デバイスＴＤ又はアクセスノードＡＮのものを使用することができることに留意されたい。
【０１１４】
図４は、本発明による管理エンティティによって実行されるアルゴリズムの一例である。
【０１１５】
より正確には、本アルゴリズムは、管理エンティティＭＥが担当する通信デバイスＴＤによって管理されるエリアＡＲに位置する各端末ＴＥについて、管理エンティティＭＥのプロセッサ３００によって実行される。
【０１１６】
ステップＳ４００において、プロセッサ３００は、所定のイベントが発生したか否かの判断を可能にする情報を取得する。
【０１１７】
この情報は、通信デバイスＴＤと少なくとも１つのアクセスノードＡＮとの間の干渉レベル、及び／又は、アップリンクチャネルで端末ＴＥによって転送された信号に関する測定値、及び／又は、通信デバイスＴＤのロケーション、及び／又は、端末ＴＥのロケーション、及び／又は、１つの動作モード若しくは各動作モードにおける通信デバイスＴＤの利用可能なリソース、及び／又は、端末ＴＥによって受信された信号に関する測定値、及び／又は、端末ＴＥと通信デバイスＴＤとをリンクする情報、及び／又は、継続時間である。
【０１１８】
干渉レベルとは、例えば、通信デバイスＴＤによって転送又は受信された信号上において、隣接したアクセスノードＡＮによって生成された干渉のレベルである。
【０１１９】
この干渉のレベルは、通信デバイスＴＤが測定することもできるし、或いは端末ＴＥが測定して通信デバイスＴＤへ転送することもできる。
【０１２０】
図１ｂの例によれば、２つのエリアＡＲが互いに重なり合っているとき、干渉のレベルが大きくなって双方のエリアにおいてスループットを低減する場合がある。
【０１２１】
アップリンクチャネルで端末ＴＥによって転送された信号に関する測定は、端末ＴＥをハンドリングするアクセスノードＡＮが実行することもできるし、或いは通信デバイスＴＤが任意の動作モードにあるときに実行することもできる。
【０１２２】
通信デバイスＴＤのロケーションは、通信デバイスＴＤによって転送される。通信デバイスのロケーションは、全地球的航法衛星システム（ＧＮＳＳ）、又はポストアドレス、又は隣接したアクセスノードＡＮによって転送された信号に関する測定によって提供することができる。
【０１２３】
端末ＴＥのロケーションは、端末ＴＥによって転送され、ＧＮＳＳ、又は隣接したアクセスノードＡＮによって転送された信号に関する測定によって提供することができる。
【０１２４】
１つの動作モード又は各動作モードにおける通信デバイスＴＤの利用可能なリソースは、通信デバイスＴＤによって転送される。
【０１２５】
端末ＴＥと通信デバイスＴＤとをリンクする情報は、端末ＴＥが通信デバイスＴＤによってハンドリングされることが認められていることを示す情報とすることができる。この情報は、管理エンティティが記憶することもできるし、或いは端末ＴＥ又は通信デバイスＴＤが転送することもできる。
【０１２６】
継続時間は、例えば、通信デバイスＴＤが端末ＴＥについて中継動作モードにある継続時間である。継続時間は、通信デバイスＴＤによって転送されるか、又は管理エンティティＭＥによって管理される。
【０１２７】
次のステップＳ４０１において、プロセッサ３００は、通信デバイスＴＤが端末ＴＥについて中継動作モードで動作しているのか、それとも端末ハンドリング動作モードで動作しているのかをチェックする。
【０１２８】
通信デバイスＴＤが中継動作モードで動作している場合、プロセッサ３００はステップＳ４１０に移動する。通信デバイスＴＤが端末ハンドリングモードで動作している場合、プロセッサ３００はステップＳ４０２に移動する。
【０１２９】
ステップＳ４０２において、プロセッサ３００は、所定のイベントが発生したか否かをチェックする。
【０１３０】
この所定のイベントは、通信デバイスＴＤと少なくとも１つのアクセスノードＡＮとの間の干渉レベルが所定の閾値値よりも高いとき、かつ／又は、アップリンクチャネルで端末ＴＥによって転送された信号に関する測定値が所定の値よりも低いとき、かつ／又は、端末ＴＥが通信デバイスＴＤから遠ざかるとき、かつ／又は、ハンドリング動作モードにおける通信デバイスＴＤの利用可能なリソースが所定の閾値よりも少ないとき、かつ／又は、端末ＴＥによって受信された信号に関する測定値が閾値よりも低いときに発生する。
【０１３１】
ここで、一変形では、プロセッサ３００は、所定のイベントが発生したことを通信デバイスＴＤから通知されてもよいことに留意されたい。この変形では、通信デバイスＴＤは、通信デバイスＴＤと少なくとも１つのアクセスノードＡＮとの間の干渉レベルが所定の閾値よりも高いか否かをチェックし、かつ／又は、アップリンクチャネルで端末ＴＥによって転送された信号に関する測定値が所定の値よりも低いか否かをチェックし、かつ／又は、端末ＴＥが通信デバイスＴＤから遠ざかっているか否かをチェックし、かつ／又は、ハンドリング動作モードにおける通信デバイスＴＤの利用可能なリソースが所定の閾値よりも少ないか否かをチェックし、かつ／又は、端末ＴＥによって受信された信号に関する測定値が閾値よりも低いか否かをチェックする。
【０１３２】
所定のイベントが発生した場合、プロセッサ３００はステップＳ４０３に移動する。そうでない場合、プロセッサ３００はステップＳ４００に戻る。
【０１３３】
ステップＳ４０３において、プロセッサ３００は、通信デバイスＴＤからアクセスノードＡＮへの端末ＴＥのハンドオーバを行わなければならないと判定し、ハンドオーバに進むように通信デバイスＴＤ及びアクセスノードＡＮに要求するメッセージを通信デバイスＴＤ及びアクセスノードＡＮへ転送するように指示する。
【０１３４】
次のステップＳ４０４において、プロセッサ３００は、通信デバイスＴＤが中継動作モードに切り替わらなければならないと判定し、中継動作モードに切り替わるように通信デバイスＴＤに要求するメッセージを通信デバイスＴＤへ転送するように指示する。プロセッサ３００は、通信デバイスＴＤの動作モードを表す情報を記憶する。
【０１３５】
次のステップＳ４０５において、プロセッサ３００は、ステップＳ４００において既に開示したのと同様の情報を取得する。
【０１３６】
次のステップＳ４０６において、プロセッサ３００は、その端末ＴＥのために別の通信デバイスＴＤを中継動作モードに切り替える必要があるか否かをチェックする。
【０１３７】
干渉レベルが所定の閾値よりも高いとき、かつ／又は、アップリンクチャネルで端末ＴＥによって転送された信号に関する測定値が所定の値よりも低いとき、かつ／又は、端末ＴＥが通信デバイスＴＤから遠ざかっているとき、かつ／又は、中継動作モードにおける通信デバイスＴＤの利用可能なリソースが所定の閾値よりも少ないとき、かつ／又は、端末ＴＥによって受信された信号に関する測定値が閾値よりも低いとき、又は、通信デバイスがまもなくオフにされる可能性があるとき、その端末ＴＥのために別の通信デバイスＴＤを中継モードに切り替える必要がある。
【０１３８】
その端末ＴＥのために別の通信デバイスを中継モードに切り替える必要がある場合、プロセッサ３００はステップＳ４０７に移動する。そうでない場合、プロセッサ３００はステップＳ４００に戻る。
【０１３９】
ステップＳ４０７において、プロセッサ３００は、通信デバイスＴＤが端末ＴＥに関連する信号の転送を停止する動作モードに替わらなければならないと判定し、その動作モードに切り替わるように要求するメッセージを通信デバイスＴＤへ転送するように指示する。
【０１４０】
一変形では、プロセッサ３００は、ステップＳ４０６からＳ４０８へ直接移動する。
【０１４１】
別の変形では、プロセッサ３００は、ステップＳ４０７を実行する代わりに、以前に記憶された動作モード切り替えに従って、通信デバイスＴＤが端末とアクセスノードとの間で転送された信号を中継する動作モードに切り替わらなければならないと判定するか、又は通信デバイスＴＤが端末ＴＥに関連する信号の転送を停止する動作モードに切り替わらなければならないと判定する。この判定について通信デバイスＴＤに通知するメッセージが転送される。
【０１４２】
次のステップＳ４０８において、プロセッサ３００は、その端末ＴＥのために中継動作モードに切り替わらなければならない別の通信デバイスＴＤを選択する。
【０１４３】
この別の通信デバイスＴＤは、例えば、端末ＴＥのロケーションを考慮して、かつ／又は、近いと予想される通信デバイスＴＤのグループからランダムに、かつ／又は、隣接する通信デバイスから送信された信号に関する端末ＴＥにより報告された測定値に基づいて、かつ／又は、ステップＳ４００において通信デバイスＴＤから取得された情報に基づいて、選択される。
【０１４４】
ステップＳ４０９において、プロセッサ３００は、選択された新しい通信デバイスＴＤに対して中継動作モードに切り替わるように要求し、その通信デバイスＴＤの動作モードを表す情報を記憶する。
【０１４５】
その後、プロセッサ３００はステップＳ４００に戻る。
【０１４６】
ステップＳ４１０において、プロセッサ３００は、所定のイベントが発生したか否かをチェックする。
【０１４７】
この所定のイベントは、アップリンクチャネルで端末ＴＥによって転送されて通信デバイスＴＤによって測定された信号に関する測定値が所定の値よりも高いとき、かつ／又は、端末ＴＥが通信デバイスＴＤに近づいているとき、かつ／又は、ハンドリング動作モードにおける通信デバイスＴＤの利用可能なリソースが所定の閾値よりも多いとき、かつ／又は、中継動作モードにおける通信デバイスＴＤの利用可能なリソースが所定の閾値よりも低いとき、かつ／又は、端末ＴＥによって受信された信号に関する測定値が閾値よりも高いとき、かつ／又は、通信デバイスが中継器として機能する継続時間が閾値よりも長いときに発生する。
【０１４８】
所定のイベントが発生した場合、プロセッサ３００はステップＳ４１１に移動する。そうでない場合、プロセッサ３００はステップＳ４００に戻る。
【０１４９】
ステップＳ４１１において、プロセッサ３００は、ハンドオーバが可能であるか否かをチェックする。例えば、プロセッサ３００は、端末ＴＥのハンドリングを引き受けるように通信デバイスＴＤに要求する。このようなステップは、端末ＴＥと通信デバイスとをリンクする情報がステップＳ４００において取得されていないときに実行される。
【０１５０】
ハンドオーバが可能である場合、プロセッサ３００はステップＳ４１２に移動する。
【０１５１】
そうでない場合、プロセッサ３００はステップＳ４００に戻る。
【０１５２】
ステップＳ４１２において、プロセッサ３００は、アクセスノードＡＮから通信デバイスＴＤへの端末ＴＥのハンドオーバを行わなければならないと判定し、ハンドオーバに進むように要求するメッセージを通信デバイスＴＤ及びアクセスノードＡＮへ転送するように指示する。代替的に、通信デバイスＴＤがハンドオーバ手順を実行する準備ができているときは、プロセッサ３００は、ハンドオーバに進むように要求するメッセージをアクセスノードＡＮにのみ転送するように指示する。
【０１５３】
次のステップＳ４１３において、プロセッサ３００は、通信デバイスＴＤがハンドリング動作モードに切り替わらなければならないと判定し、ハンドリングモードに切り替わるように要求するメッセージを通信デバイスＴＤへ転送するように指示し、通信デバイスＴＤの動作モードを表す情報を記憶する。
【０１５４】
その後、プロセッサ３００はステップＳ４００に戻る。
【０１５５】
図５は、本発明による通信デバイスによって実行されるアルゴリズムの一例である。
【０１５６】
より正確には、本アルゴリズムは、通信デバイスＴＤのプロセッサ２００によって実行される。
【０１５７】
ステップＳ５００において、プロセッサ２００は、少なくとも１つの測定に進むように無線インターフェース２０５に指令する。
【０１５８】
少なくとも１つの測定値は、通信デバイスＴＤによって転送及び／若しくは受信された信号において隣接するアクセスノードＡＮにより生成された干渉のレベル、並びに／又は、１つの動作モード若しくは各動作モードにおける通信デバイスＴＤの利用可能なリソース、並びに／又は、隣接する端末ＴＥによって転送された信号に関する測定値、並びに／又は、通信デバイスＴＤのロケーションである。
【０１５９】
次のステップＳ５０１において、プロセッサ２００は、管理エンティティＭＥへ情報を転送するように指示する。
【０１６０】
情報は、少なくとも１つの測定値から導出されるか、或いは、少なくとも１つの測定値と端末ＴＥのロケーション、及び／又は、端末ＴＥと通信デバイスＴＤとをリンクする情報、及び／又は、継続時間から導出される。
【０１６１】
ここで、一変形では、プロセッサ２００は、所定のイベントが発生したか否かを判断し、イベントが発生したことを管理エンティティＭＥに通知することに留意されたい。その変形では、プロセッサ２００は、通信デバイスＴＤと少なくとも１つのアクセスノードＡＮとの間の干渉レベルが所定の閾値よりも高いか否かをチェックし、かつ／又は、アップリンクチャネルで端末ＴＥによって転送された信号に関する測定値が所定の値よりも低いか否かをチェックし、かつ／又は、端末ＴＥが通信デバイスＴＤから遠ざかっているか否かをチェックし、かつ／又は、ハンドリング動作モードにおける通信デバイスＴＤの利用可能なリソースが所定の閾値よりも低いか否かをチェックし、かつ／又は、端末ＴＥによって受信された信号に関する測定値が閾値よりも低いか否かをチェックする。
【０１６２】
次のステップＳ５０２において、プロセッサ２００は、管理エンティティＭＥからネットワークインターフェース２０６又は無線インターフェース２０５を通してメッセージを受信する。
【０１６３】
次のステップＳ５０３において、プロセッサ２００は、プロセッサ２００が端末ＴＥのアクセスノードＡＮとのハンドオーバに進まなければならないことを要求するコマンドを受信メッセージが表すか否かをチェックする。受信メッセージがハンドオーバに進むように要求するコマンドである場合、プロセッサ２００はステップＳ５０４に移動する。そうでない場合、プロセッサ２００はステップＳ５００に戻る。
【０１６４】
次のステップＳ５０４において、プロセッサ２００は、管理エンティティＭＥからネットワークインターフェース２０６又は無線インターフェース２０５を通してメッセージを受信する。
【０１６５】
このメッセージは、通信デバイスＴＤの動作モードを示す。
【０１６６】
次のステップＳ５０５において、プロセッサ２００は、通信デバイスＴＤが動作している動作モードとは異なる動作モードに切り替わるように無線インターフェース２０５に指示する。
【０１６７】
通信デバイスが端末をハンドリングする動作モードから中継モードに移動するとき、通信デバイスは、例えば以前に記憶された動作モード切り替えに従って、端末とアクセスノードとの間で転送される信号を中継する動作モードに切り替わらなければならないか否か、又は端末ＴＥに関連した信号の転送を停止する動作モードに切り替わらなければならないか否かを自身で判定することができる。
【０１６８】
その後、プロセッサ３００はステップＳ５００に戻る。
【０１６９】
当然のことながら、本発明の範囲から逸脱することなく、上述した本発明の実施形態に対して多くの変更を行うことができる。
【図１ａ】
0005514814.tif 000002
【図１ｂ】
0005514814.tif 000003
【図２】
0005514814.tif 000004
【図３】
0005514814.tif 000005
【図４】
0005514814.tif 000006
【図５】
0005514814.tif 000007